(57)【要約】  【課題】各種のタイマーと土壌水分センサーの双方の採用で少量高頻度潅水法を行うようにしたものや、隔離培地、コンテナ栽培培地あるいは袋培地等の栽培において昼夜で好適な潅水条件で潅水するようにしたものはある。これを年間タイマーに適用するために段階構造とすると制御項目数が非常に多くなり、その中の一つの制御項目の設定を変える場合、その択出に時間がかかり、簡単に改変することができない。【解決手段】本発明に係る灌水制御器は、スイッチ(1)、表示画面(2)及び入力ボタン(3)を包含している。該スイッチ(1)は複数の潅水系統(6)の内から任意の潅水系統の制御項目(8)の択出が可能な型式である。該表示画面(2)は該スイッチ(1)による選択項目(9)を表示するものである。そして、該入力ボタン(3)は該表示画面(2)に表示された択出項目(91)の操作用となっている。【選択図】  図１
2014117219.tif 000002
【特許請求の範囲】
【請求項１】
スイッチ、表示画面及び入力ボタンを包含し、
該スイッチは、給水源から被潅水箇所に通じる潅水系統に設けられた開閉弁の制御項目が複数存在する場合、それらの内から任意の制御項目を直接的に選択が可能な型式で、
該表示画面は該スイッチにより選択された選択項目を表示するもので、
該入力ボタンは該表示画面に表示された択出項目の操作用となっている
ことを特徴とする灌水制御器。
【請求項２】
該潅水系統は複数で該スイッチに関し並列配置となっており、各潅水系統はそれぞれ開閉弁を介して各別の被潅水箇所に通じている請求項１に記載の灌水制御器。
【請求項３】
該スイッチはロータリーエンコーダである請求項１又は２に記載の灌水制御器。
【請求項４】
該ロータリーエンコーダは設定入力者の制限機能を有している請求項３に記載の灌水制御器。
【請求項５】
該入力ボタンは２個又は３個で、その内の一つは該表示画面に複数の択出項目が表示された場合にその中から一つの項目を選び出す択出ボタンで、他の一つ又は２つは該択出ボタンで択出された該択出項目中の数値、指標又は指示文字等の特定表示を操作する設定変更ボタンとなっている請求項１、２、３又は４に記載の灌水制御器。
【請求項６】
該制御項目は、季節の区切り、区切られた季節ごとの潅水日、潅水の開始時刻及び継続時間の（区切りの数の３倍＋１）の項目を含む請求項１から５の一つの項に記載の灌水制御器。
【請求項７】
該制御項目は降雨センサー及び／又は土壌水分センサーからの情報を考慮して制御内容を修正するようになっている請求項１から６の一つの項に記載の灌水制御器。
【請求項８】
該制御項目の設定のうち、該潅水系統の各々の潅水日、開始時刻及び継続時間を一括で入力するようになっている請求項２から７の一つの項に記載の灌水制御器。
【請求項９】
該潅水の開始時刻及び継続時間で決まる潅水時間は、該開閉弁ごとに選択項目の１つとして比率設定の項目を適宜設定することにより可変となっている請求項６、７又は８に記載の灌水制御器。
【請求項１０】
該制御項目の設定を一括入力でなすことにより該複数の潅水系統において１つの潅水系統の潅水継続時間が終了すると自動的に順次、次の潅水系統が起動するようになっている請求項２から９の一つの項に記載の灌水制御器。
【請求項１１】
該選択項目の属する潅水系統が一定時間の経過後に自動的に起動するようになっている請求項１から１０の一つの項に記載の灌水制御器。
【請求項１２】
該スイッチはモード設定項目に導結され、該モード設定項目は該制御項目に導結されている請求項１から１１の一つの項に記載の灌水制御器。
【発明の詳細な説明】
【技術分野】
【０００１】
本発明は灌水制御器にかかり、潅水系統の開閉弁を被潅水箇所に適合した状態で開閉させる条件設定の種々の潅水制御項目を、例えば被潅水箇所の状況の変化等で改変や削除等をする必要が生じた場合、即ち操作する必要が生じた場合に、その対象となる項目を直接的に選択できるようにして作業の高速化を図ったものである。
【背景技術】
【０００２】
潅水の制御には幾多のシステムが開発されている。例えば、一回当たりの潅水量を少なくして回数を多くした自動潅水制御器が特許文献１（特開２００２−２８１８４２号公報）に開示されている。また、昼夜の施肥・潅水量を変更して好適な条件の潅水をするようにした自動栽培制御装置が特許文献２（特開２００７−２５２２３４号公報）に載っている。
【先行技術文献】
【特許文献】
【０００３】
【特許文献１】特開２００２−２８１８４２号公報
【特許文献２】特開２００７−２５２２３４号公報
【発明の概要】
【発明が解決しようとする課題】
【０００４】
特許文献１の自動潅水制御器は親タイマー、子タイマー及び潅水休止タイマーの時間設定と、土壌水分センサーの乾燥限界値の設定によって少量高頻度潅水法を行うようにしたもので、１年間のような長期にわたる潅水系の設定を意図しているとは思えない。
【０００５】
又、特許文献２の自動栽培制御装置も、隔離培地、コンテナ栽培培地あるいは袋培地等の栽培において昼夜で好適な潅水条件で潅水するようにしたもので、年間タイマーのような考えは開示も示唆もされていない。
【０００６】
本発明は、潅水系統に設定される複数の潅水の制御項目を一つのスイッチに統括し、ある制御項目の改変や削除等の操作が必要になった場合、この制御項目を直接的かつ即座に択出できる潅水制御器を提供することを目的とする。
【課題を解決するための手段】
【０００７】
（請求項１）本発明に係る灌水制御器は、スイッチ、表示画面及び入力ボタンを包含している。該スイッチは、給水源から被潅水箇所に通じる潅水系統に設けられた開閉弁の制御項目が複数存在する場合、それらの内から任意の制御項目を直接的に選択が可能な型式である。該表示画面は該スイッチにより選択された選択項目を表示するものである。そして、該入力ボタンは該表示画面に表示された択出項目の操作用となっている。
【０００８】
潅水系統には潅水に関連する制御項目が一般的に少なくとも６個、階層構造となっているので、被潅水箇所の状況等により潅水条件を変更する必要が生じた場合、これらの制御項目の中からその制御項目を探す必要がある。従来は、系統の頭初から階層を順次下って行くやり方なので、その制御項目が階層の末端に位置していたりすると選択に手間がかかる。
【０００９】
本発明ではスイッチにより直接的に特定の制御項目を選出し、選択項目として表示画面に表示でき、入力ボタンの操作により、この選択項目の速やかな処理ができる。
【００１０】
（請求項２）該潅水系統は複数で該スイッチに関し並列配置となっており、各潅水系統はそれぞれ開閉弁を介して各別の被潅水箇所に通じていてもよい。
こうすると、複数の潅水系統がある場合、それだけ制御項目数が増えて特定の制御項目の選択に時間がかかるが、これらの潅水系統がスイッチに対して並列に配置されているので、スイッチはこれらの潅水系統の中から選択する制御項目のある潅水系統に直接的に入ってその制御項目を選択でき、一層迅速な択出が可能となる。
【００１１】
（請求項３）該スイッチはロータリーエンコーダであってもよい。
こうすると、ロータリーエンコーダの採用により、潅水系統が多数になっても、その中から必要な潅水系統を自由に選択し、しかもその潅水系統の中から所要の制御項目を即座に選択することができる。このため、拡張性が高く、操作性にも優れている。選択項目数についてみれば、例えば1〜255に対応できる。
【００１２】
（請求項４）該ロータリーエンコーダは設定入力者の制限機能を有していてもよい。
こうすると、制限機能としては種々の方式があるが、例えばロータリーエンコーダを金庫のダイヤルとみなし、閉蓋状態で左右に決められた回数回すことで制限機能を解除する方式も採用可能で、これにより第三者による誤った設定を防ぐことができる。
【００１３】
（請求項５）該入力ボタンは２個又は３個で、その内の一つは該表示画面に複数の択出項目が表示された場合にその中から一つの項目を選び出す択出ボタンで、他の一つ又は２つは該択出ボタンで択出された択出項目中の数値、指標又は指示文字等の特定表示を設定変更する設定変更ボタンとなっていてもよい。
こうすると、スイッチにより選択された項目が表示画面に表示され、択出項目が一つ以上表示されるが、二つ以上表示された場合は択出ボタンで択出項目の一つを択出する。そして、択出項目中で特定表示の操作、例えば数値の変更、指標の移動又は指示文字の改変等、の必要がある場合は設定変更ボタンで操作することにより、その潅水系統に適合した制御項目に設定できる。
【００１４】
（請求項６）該制御項目は、季節の区切り、区切られた季節ごとの潅水日、潅水の開始時刻及び継続時間の（区切り数の３倍＋１）の項目を含んでいてもよい。
こうすると、潅水条件は被潅水箇所の状況により変わり、これを１年間の長期にわたり潅水の制御をするとなると多くの制御項目の設定が必要となるが、季節の区切りで１年を四季に分け、季節ごとに潅水日、潅水の開始時刻及び継続時間を決めることにより、従来の制御項目に比べて少ない制御項目で年間タイマーの設定が可能となった。
【００１５】
（請求項７）該制御項目は降雨センサー及び／又は土壌水分センサーからの情報を考慮して制御内容を修正するようになっていてもよい。
こうすると、灌水時刻に降雨があるときは降雨センサーからの情報を考慮して潅水を止めることにより節水に役立つ。また、土壌水分センサーが潅水開始時刻に土壌が十分に湿っているとの情報を発したときは、その情報を考慮して潅水を行わずに節水ができ、潅水時間以外で極端に土壌が乾燥しているとの情報を発したときには潅水開始時刻になる前でも潅水を行うことができるので、節水のために極力潅水時間を短くしても植物が枯損に至ることを防止できる。
【００１６】
（請求項８）該制御項目の設定のうち、該潅水系統の各々の潅水日、開始時刻及び継続時間を一括で入力するようになっていてもよい。
こうすると、一つの潅水系統についてのみ潅水日、潅水の開始時刻及び継続時間を入力すれば順次他の系統も同様に設定されるので、潅水系統ごとに入力する必要がなく、系統数が多いほど入力操作が短縮される。
【００１７】
（請求項９）潅水の該開始時刻及び継続時間で決まる潅水時間は、選択項目の１つとして該開閉弁ごとに比率設定の項目を適宜設定することにより可変となっていてもよい。
こうすると、潅水時間は被潅水箇所の条件等によって変えたい場合があるが、一括設定されている潅水の継続時間の比率を、表示画面の比率設定の項目で適宜設定することにより、被潅水箇所ごとに適合した潅水量を設定できる。
【００１８】
（請求項１０）該制御項目の設定を一括入力でなすことにより、該複数の潅水系統において１つの潅水系統の潅水継続時間が終了すると自動的に順次次の潅水系統が起動するようになっていてもよい。
こうすると、開閉弁が複数の場合、水圧低下を防ぐため同時開放はなく、前段の開閉弁での潅水継続時間の終了後、自動的に順次後段の開閉弁が開放して潅水を行うので、重複作動は発生しない。
【００１９】
（請求項１１）該潅水制御器に運転モードが無い場合は、一定時間が経過すると選択された潅水系統が自動的に起動するようになっていてもよい。
こうすると、従来の潅水タイマーには実行キーがあり、この実行キーを運転モードに合わせないと制御器が作動しないが、この場合は自動運転モードになっているので、操作の対象となった選択項目の設定が完了して一定時間が経過すると、該選択項目の属する潅水系統が自動的に起動し、実行キーの押し忘れによる潅水不全を防止できる。
【００２０】
（請求項１２）該スイッチはモード設定項目に導結され、該モード設定項目は該制御項目に導結されていてもよい。
こうすると、モード設定項目に包含された各モード、例えば「薄層芝生モード」、「標準芝生モード」、「地被モード」、「樹木モード」を選択することにより、全ての制御項目が一括で決定され、入力の簡素化を図れる。
【発明の効果】
【００２１】
本発明に係る灌水制御器によれば、スイッチにより直接的に特定の制御項目を選択し、選択項目として表示画面に表示でき、入力ボタンの操作により、この選択項目の速やかな処理ができる。
【００２２】
請求項２によれば、潅水系統が複数あっても、スイッチは選択する制御項目のある潅水系統に直接的に入ってその制御項目を択出するので、一層迅速な択出が可能となる。
【００２３】
請求項３によれば、ロータリーエンコーダの採用により、潅水系統が多くなっても、その中から必要な潅水系統を自由に選択し、しかもその潅水系統の中から所要の制御項目を選出することができ、選出を即座になせる。このため、拡張性が高く、操作性にも優れている。項目数についてみれば、例えば1〜255に対応できる。
【００２４】
請求項４によれば、制限機能としては種々の方式があるが、例えばロータリーエンコーダを金庫のダイヤルとみなし、閉蓋状態で左右に決められた回数回すことで制限機能を解除する方式も採用可能で、これにより第三者による誤った設定を防ぐことができる。
【００２５】
請求項５によれば、スイッチにより選択された選択項目が表示画面に表示されるが、二つ以上表示された場合は択出ボタンで項目の一つを択出し、該択出項目中で特定表示の操作、例えば数値の変更、指標の移動又は指示文字の改変等、の必要がある場合は設定変更ボタンで操作することにより、その潅水系統に適合した制御項目に設定できる。
【００２６】
請求項６によれば、潅水条件は被潅水箇所の状況等により変わり、これを１年間の長期にわたり潅水の制御をするとなると多くの制御項目の設定が必要となるが、季節の区切りで１年を四季に分け、区切られた季節ごとに、潅水日、潅水の開始時刻及び継続時間を決めることにより、従来の制御項目数に比べて少ない制御項目数で年間タイマーの設定が可能となった。
【００２７】
請求項７によれば、降雨センサーの場合、灌水時刻に降雨があるときはこれを感知して潅水を止めることにより節水に役立つ。また、土壌水分センサーの場合、潅水開始時刻に土壌が十分に湿っているときは潅水を行わずに節水ができ、潅水時間以外で極端に土壌が乾燥したときには潅水開始時刻になる前でも潅水を行うことができるので、節水のために極力潅水時間を短くしても植物が枯損に至ることを防止できる。
【００２８】
請求項８によれば、一つの潅水系統についてのみ潅水日、潅水の開始時刻及び継続時間を入力すれば順次他の系統も同様に設定されるので、潅水系統ごとに入力する必要がなく、系統数が多いほど入力操作が短縮される。
【００２９】
請求項９によれば、潅水時間は被潅水箇所の条件等によって変えたい場合があるが、一括設定されている潅水の継続時間の比率を、表示画面の比率設定の項目で適宜設定することにより、被潅水箇所ごとに適合した潅水量を設定できる。
【００３０】
請求項１０によれば、開閉弁が複数の場合、水圧低下を防ぐため同時開放はなく、前段の開閉弁での潅水継続時間の終了後、自動的に順次後段の開閉弁が開放して潅水を行うので、重複作動は発生しない。
【００３１】
請求項１１によれば、自動運転モードになっているので、操作の対象となった択出項目の特定表示の設定や変更等が完了して一定時間が経過すると、該択出項目の属する潅水系統が自動的に起動し、実行キーの押し忘れによる潅水不全を防止できる。
【００３２】
請求項１２によれば、モード設定項目８７に包含された各モード、例えば「薄層芝生モード」、「標準芝生モード」、「地被モード」、「樹木モード」を選択することにより、全ての制御項目が一括で決定され、入力の簡素化を図れる。
【図面の簡単な説明】
【００３３】
【図１】本発明にかかる灌水制御器Ｒの実施例の概略を示す正面図である。
【図２】給水源４から被潅水箇所５に通じる潅水系統６に介在する開閉弁７を、潅水制御器Ｒが制御項目８の設定条件で制御する系統の説明図である。
【図３】従来の潅水装置に設定されることを推定した場合の年間タイマーのブロック図である。
【図４】複数の潅水系統にそれぞれ開閉弁を介在させた場合の順次起動状態を示すブロック図である。
【図５】表示画面２に表示された選択項目９の比率設定の項目９３である。
【図６】スイッチ１と選択項目との関係を示すブロック図で、００は制御器の運転状態を表示する画面、０１はこの種の制御器の使用に際し当然に設定される事項、１３は手動操作用の項目である。なお、モードの設定の選択項目の０２−０３の表示は、この項目を加える場合に、０２の灌水系統と０３の季節設定の間であることを示している。
【図７】土壌水分センサー８６を採用し、センサー連動の土壌水分値の上限設定値と下限設定値に対する灌水状況を、灌水日と土壌水分値の関係で示したグラフで、正常時である。
【図８】同じく異常時（灌水不良等）である。
【図９】同じく降雨時である。
【発明を実施するための最良の形態】
【００３４】
図１で、１はスイッチ、２は表示画面、３は入力ボタンである。このスイッチ１は潅水系統６に介在する開閉弁７に対する制御項目８が複数存在する場合、それらの内から任意の制御項目を直接的に選択できる型式である。
表示画面２はスイッチ１により選択された選択項目９を表示するもので、入力ボタン３は、表示画面２に表示された択出項目９１の操作用となっている。
【００３５】
潅水系統６には潅水に関連する制御項目８が一個以上配列されている。この制御項目８は階層構造となっているので、被潅水箇所５の状況等により潅水条件を変更したい場合、これらの制御項目８の中から内容を操作したい制御項目を探す必要がある。従来のやり方は、最初の系統の頭初から階層を順次下って行くので、選択項目が選択順序の初期の段階で見つかればよいが、末端に位置していたりすると手間がかかる。
【００３６】
本発明ではスイッチ１により直接的に特定の項目を選出し、選択項目９として表示画面２に表示でき、入力ボタン３の操作により、この択出項目９１の速やかな処理ができる。
【００３７】
図２は潅水制御器Ｒが、自身が設定した制御項目８で、給水源４から被潅水箇所５に通じる潅水系統６に介在する開閉弁７を、制御する系統を示してある。開閉弁７は制御項目８で設定された条件に従って作動し、被潅水箇所５に潅水し、また潅水を停止する。
【００３８】
図３に示すように、従来の潅水系統で推測すると、潅水に関連する項目を６個配列し、この潅水系統が４系統とすると、全項目数は２４となる。これらの全項目の中から特定の項目の内容を変更し、あるいは抹消する場合、その特定の項目を選択するには各系列の頭初から潅水系統ごとに順次入って行くことになり、大変に手間がかかる。
【００３９】
本発明では設定項目数を減らした上、スイッチ１により直接的に制御項目８の中から必要な項目を選択し、選択項目９として表示画面２に表示でき、入力ボタン３により、選択項目９の速やかな処理ができる。
【００４０】
（請求項２）潅水系統６は複数６１、６２、…６ｎでスイッチ１に関し並列配置となっており、各潅水系統６１、６２、…６ｎはそれぞれ開閉弁７１、７２、…７ｎを介して各別の被潅水箇所５１、５２、…５ｎに通じている。
この場合、複数の潅水系統６１、６２、…６ｎがあると制御項目数もそれだけ増え、特定の制御項目の択出に大変な時間がかかるが、これらの潅水系統６１、６２、…６ｎがスイッチ１に関し並列に配置されているので、スイッチ１はこれらの潅水系統６１、６２、…６ｎの中から選択する制御項目のある潅水系統に直接的に入って必要な制御項目８を選択でき、一層迅速な選択が可能となる。
【００４１】
（請求項３）スイッチ１はロータリーエンコーダ１ａである。
この場合、ロータリーエンコーダ１ａの採用により、潅水系統６が多数になっても、その中から必要な潅水系統を自由に選択し、しかもその潅水系統の中から所要の制御項目を択出することができ、選択を即座になせる。このため、拡張性が高く、操作性にも優れている。項目数についてみれば、例えば1〜255に対応できる。
【００４２】
（請求項４）ロータリーエンコーダ１ａは設定入力者の制限機能を有している。
この場合、制限機能としては種々の方式があるが、例えばロータリーエンコーダ１ａを金庫のダイヤルとみなし、閉蓋状態で左右に決められた回数回すことで制限機能を解除する方式も採用可能で、これにより第三者による誤った設定を防ぐことができる。
【００４３】
（請求項５）入力ボタン３は３個で、その内の一つは表示画面２に複数の択出項目９１が表示された場合にその中から一つの項目を選び出す択出ボタン３１で、他の２つは択出ボタン３１で択出された択出項目９１中の数値、指標又は指示文字等の特定表示９２を設定変更する設定変更ボタン３２となっている。
この場合、スイッチ１により選択された選択項目９が表示画面２に表示され、択出項目９１が一つ以上表示されるが、二つ以上表示された場合は択出ボタン３１で択出項目９１の一つを択出する。そして、択出項目９１中で特定表示９２の操作、例えば数値の変更、指標の移動又は指示文字の改変等、の必要がある場合は設定変更ボタン３２で操作することにより、その潅水系統６に適合した項目に設定できる。
【００４４】
（請求項６）制御項目８は、季節の区切り８１、区切られた季節ごとの潅水日８２、潅水の開始時刻８３及び継続時間８４の（季節の区切りの数の３倍＋１）の項目を含むものとなっている。
この場合、潅水条件は被潅水箇所５１、５２、…５ｎの状況により変わり、これを１年間の長期にわたり潅水の制御をするとなると多くの制御項目の設定が必要となる。そこで、季節の区切り８１で１年を４季に分け、区切られた季節ごとに、潅水日８２、潅水の開始時刻８３及び継続時間８４を決めることにより、少ない項目数で年間タイマーの設定が可能となった。
【００４５】
（請求項７）制御項目８は降雨センサー８５及び／又は土壌水分センサー８６からの情報を考慮して制御内容を修正するようになっている。
この場合、灌水開始時刻に降雨があるときは降雨センサー８５からの情報を考慮して潅水を止めることにより節水に役立つ。また、土壌水分センサー８６が潅水開始時刻に土壌が十分に湿っているとの情報を発したときは、その情報を考慮して潅水を行わずに節水し、潅水時間以外で極端に土壌が乾燥しているとの情報を発したときには潅水開始時刻になる前でも潅水を行って、節水のために極力潅水時間を短くしても植物が枯損に至ることを防止できる。
【００４６】
図７〜９は土壌水分センサー８６を採用し、センサー連動の上限設定値と下限設定値に対する灌水状況を、灌水日と土壌水分値の関係で示したものである。図７は正常時で、タイマー灌水が行われ、水分値を示す波形がほぼ一定のサイクルとなっている。図８の異常時（灌水不良等）で、正常なタイマー灌水中の３日目にセンサーにより水分不足が検知されて臨時灌水を行ったもので、正常のタイマー灌水は続行されている。また、図９は２日目に降雨があった場合で、土壌水分が上限値を越えたためタイマー灌水が停止し、水分値が設定範囲内に戻った４日目からタイマー灌水に移行している。
【００４７】
（請求項８）制御項目８の設定のうち、潅水系統６の各々６１、６２、…６ｎの潅水日８２、開始時刻８３及び継続時間８４を一括で入力するようになっている。
この場合、潅水系統ごと６１、６２、…６ｎにそれぞれ灌水日８２、灌水の開始時刻８３及び継続時間８４を入力する必要がなく、一つの潅水系統についてのみ入力することで、順次同様に設定され、系統数が多いほど入力操作が短縮される。
【００４８】
（請求項９）潅水の開始時刻８３及び継続時間８４で決まる潅水時間は、開閉弁７１、７２、…７ｎごとに選択項目９の１つとして比率設定の項目９３を適宜設定することにより可変となっている。
この場合、潅水時間は被潅水箇所５１、５２、…５ｎの条件等によって変えたい場合があるが、一括設定されている潅水の継続時間の比率を、表示画面の比率設定の項目９３で適宜設定することにより、被潅水箇所ごとに適合した潅水量を設定できる。
【００４９】
（請求項１０）制御項目８の設定を一括入力でなすことにより、複数の潅水系統６において１つの潅水系統の潅水継続時間が終了すると自動的に順次次の潅水系統が起動するようになっている。
この場合、開閉弁７が複数だと水圧低下を防ぐため同時開放はなく、前段の開閉弁での潅水継続時間の終了後、自動的に順次後段の開閉弁が開放して潅水を行うので、重複作動の発生を防げる。
【００５０】
（請求項１１）潅水制御器Ｒには運転モードが無く、択出項目９１の属する潅水系統６は、特定表示９２の設定や変更後に一定時間が経過すると、自動的に起動するようになっている。
従来の潅水タイマーには実行キーがあり、この実行キーを運転モードに合わせないと制御器が作動しないが、この場合は自動運転モードになっているので、操作の対象となった択出項目９１の特定表示９２の設定や変更が完了して以後の起動を忘れても、一定時間が経過するとこの択出項目９１の属する潅水系統が自動的に起動し、潅水不全を防止できる。
【００５１】
（請求項１２）スイッチ１はモード設定項目８７に導結され、このモード設定項目８７は制御項目８に導結されている。
この場合、モード設定項目８７に包含された各モード、例えば「薄層芝生モード」、「標準芝生モード」、「地被モード」、「樹木モード」を選択することにより、全ての制御項目が一括で決定され、入力の簡素化を図れる。このモードの設定を図６のスイッチ１と選択項目との関係を示すブロック図に加える場合は、０２の灌水系統と０３の季節設定の間であり、０２‐０３がそのことを示している。
【００５２】
なお、図面で、１０１は手動操作ボタンである。図６の手動操作用の項目「１３」で設定後、手動操作を実行あるいは停止するボタンである。
【符号の説明】
【００５３】
１      スイッチ
１ａ    ロータリーエンコーダ
２      表示画面
３      入力ボタン
３１    択出ボタン  
３２    設定変更ボタン
４      給水源
５      被潅水箇所
６      潅水系統
７      開閉弁
８      制御項目
８１    季節の区切り
８２    潅水日
８３    開始時刻
８４    継続時間
８５    降雨センサー
８６    土壌水分センサー
８７    モード設定項目
９      選択項目
９１    択出項目
９２    特定表示
９３    比率設定の項目
１０１  手動操作ボタン
【図１】
2014117219.tif 000003
【図２】
2014117219.tif 000004
【図３】
2014117219.tif 000005
【図４】
2014117219.tif 000006
【図５】
2014117219.tif 000007
【図６】
2014117219.tif 000008
【図７】
2014117219.tif 000009
【図８】
2014117219.tif 000010
【図９】
2014117219.tif 000011